(57)【要約】      （修正有）【課題】フィッティングポイントより下方においても遠方視を行う必要のある装用者に対して、遠方視と近方視との間の移行に伴う眼への負担を軽減する累進屈折力レンズを提供する。【解決手段】上方から下方にかけて、遠用部、累進部及び近用部が形成され、装用者が正面視をしたときに視線が通過するフィッティングポイント３が予め設定され、累進屈折力レンズを装用する際に鼻側となる方向を内側、耳側となる方向を外側とすると、前記フィッティングポイント３を通過する水平線上の部分であって、前記フィッティングポイント３から少なくとも２０ｍｍ内側へ離れた位置から、前記フィッティングポイント３から少なくとも２０ｍｍ外側へ離れた位置までの間では、非点収差及び相対平均度数の分布を０．５０Ｄ未満とし、前記フィッティングポイント３から少なくとも５ｍｍ下方までの加入度数の割合を、累進屈折力レンズにて設定された加入度数の１０％以下とする。【選択図】図３
2015087439.tif 000002
【特許請求の範囲】
【請求項１】
上方から下方にかけて、遠用部、累進部及び近用部が形成されており、装用者が正面視をしたときに視線が通過するフィッティングポイントが予め設定されている累進屈折力レンズにおいて、
累進屈折力レンズを装用する際に鼻側となる方向を内側、耳側となる方向を外側とすると、フィッティングポイントを通過する水平線上の部分であって、フィッティングポイントから少なくとも２０ｍｍ内側へ離れた位置から、フィッティングポイントから少なくとも２０ｍｍ外側へ離れた位置までの間では、非点収差及び相対平均度数の分布を０．５０Ｄ未満とし、
フィッティングポイントから少なくとも５ｍｍ下方までの加入度数の割合を、累進屈折力レンズにて設定された加入度数の１０％以下とした、累進屈折力レンズ。
【請求項２】
フィッティングポイントから少なくとも６ｍｍ下方までの加入度数の割合を、累進屈折力レンズにて設定された加入度数の１５％以下とした、請求項１に記載の累進屈折力レンズ。
【請求項３】
フィッティングポイントから少なくとも４ｍｍ下方までの加入度数の割合を、累進屈折力レンズにて設定された加入度数の５％以下とした、請求項１または２に記載の累進屈折力レンズ。
【請求項４】
フィッティングポイントから少なくとも１０ｍｍ下方までの加入度数の割合を、累進屈折力レンズにて設定された加入度数の５０％以下とした、請求項１ないし３のいずれかに記載の累進屈折力レンズ。
【請求項５】
フィッティングポイントから少なくとも４ｍｍ下方までの加入度数を０．１０Ｄ以下とした、請求項１ないし４のいずれかに記載の累進屈折力レンズ。
【請求項６】
フィッティングポイントから少なくとも５ｍｍ下方までの加入度数を０．２５Ｄ以下とした、請求項１ないし５のいずれかに記載の累進屈折力レンズ。
【発明の詳細な説明】
【技術分野】
【０００１】
本発明は、累進屈折力レンズに関する。
【背景技術】
【０００２】
現在、眼鏡レンズにおいては、近視、遠視や乱視への対応等、装用者の要望に応じて種々のタイプのものが開発されている。開発されてきた眼鏡レンズの中の一つに、累進屈折力レンズがある（例えば、本出願人による特許文献１〜４参照）。
【０００３】
この累進屈折力レンズには、老視の装用者の眼の調節力を補うために、上方から下方にかけて、遠用部、累進部及び近用部が形成されている。遠用部は、遠方視のための部分であり、近用部は、近方視のための部分である。そのため、累進屈折力レンズを装用することで、装用者は、遠くの風景から手元の物体までを視認することができる。また、遠用部と近用部との間には中間視のための累進部が設けられている。この累進部では、連続的に度数が変化している。そのため、遠方視と近方視との間で視線を移動させる際に、違和感の少ない視線移動が可能となる。
【０００４】
また、累進屈折力レンズには、装用者が正面視をしたときに視線が通過するフィッティングポイントが予め設定されている。そして、装用者が正面視をしたときの実際の視線とフィッティングポイントとを一致させる必要がある。そのため、眼鏡店側において装用者のフィッティングポイントの位置を測定し、その情報を眼鏡レンズの製造業者へと送信する。そして、製造業者が、予め設定されたフィッティングポイントと装用者のフィッティングポイントとを一致させた上で、装用者にとって最適な眼鏡レンズの平均度数分布や非点収差分布を設計することになる。
【０００５】
図１は、累進屈折力レンズを用いた眼鏡レンズ１の表面において、設計に用いられる各種の点の位置について説明する図である。なお、図１は、特許文献３の図１を簡略化した図でもある。図１に示すように、眼鏡レンズ１には予め、上方から下方にかけて、遠用度数測定基準点２、フィッティングポイント３、近用アイポイント４、近用度数測定基準点５を設定している。
遠用度数測定基準点２は、眼鏡レンズ１における遠用度数を測定する位置である。フィッティングポイント３は、上述の通り、装用者が正面視をしたときに視線が通過する位置である。近用アイポイント４は、近用部における内寄せ量（インセット）及び累進帯長を示す役割を担う。近用度数測定基準点５は、眼鏡レンズ１における近用度数を測定する位置である。
また、累進屈折力レンズの幾何中心Ｏの水平方向には隠しマークＨが施されている。隠しマークＨは、永久マークとして入れられているマークで、上記各種の点の位置を特定するための基準となるマークとして用いられる。
【０００６】
その他の累進屈折力レンズとしては、車両の運転に適したものも知られている（例えば特許文献５参照）。特許文献５においては、遠用部（レンズの上半分）を広く設け、中間部（いわゆる累進部）を光学中心（フィッティングポイント）の直下に設けた累進屈折力レンズが提案されている（特許文献５の［００４５］［００５１］、図１や図２）。特許文献５の累進屈折力レンズは、文献内の記載によれば、厳密に言うと近用部が存在せず、代わりに中間部が存在している（特許文献５の［００６１］）。従来の近用部よりも加入度数が低い状態の中間部を用いて車両のスピードメータなどを視認可能な累進屈折力レンズを、特許文献５では提案している（特許文献５の［００４５］［００８０］〜［００８２］）。
【先行技術文献】
【特許文献】
【０００７】
【特許文献１】特許第３１９６８８７号公報
【特許文献２】特許第４４０８１１２号公報
【特許文献３】特許第４５９６４５４号公報
【特許文献４】特許第４８１１８７５号公報
【特許文献５】米国特許公開２００７／０２４２２１７号公報
【発明の概要】
【発明が解決しようとする課題】
【０００８】
累進屈折力レンズを用いた眼鏡レンズ１は、数多くの装用者により、多くの分野で活用されている。もちろん、装用者の中には、特許文献５に示されるように、車両の運転手も含まれる。ただ、運転に用いられる眼鏡レンズ１において考慮されるのは、運転を含む一般的な用途に広く対応した設計として眼鏡レンズ１の上方に広い遠方視領域を持っている設計であることと、あるいは、せいぜい眼鏡レンズ１にカラーを付けて日中の運転時の眩しさを緩和するなどという内容にとどまっている。
【０００９】
本発明者は、運転用に用いられる眼鏡レンズ１の問題点について検討を加えた。それに際し、本発明者は、運転手が中型ないし大型車両（例えばトラックやトレーラーなど）を運転する際の状況を調べた。その結果、これまで誰も気づかなかった課題が実は隠れていたという知見を、本発明者は得た。以下、この課題について具体的に説明する。
【００１０】
通常、中型ないし大型車両（以降、まとめて「大型車両」とも言う。）の運転手の着座位置は、小型車両（例えば家庭用乗用車）に比べて極めて高い。一例を挙げると、運転シートの座面が路面から１．８ｍ前後あるため、運転手の眼の高さは路面から２．４ｍ以上も高い位置にあるのが、大型車両では通常である。また、中型車両では、運転シートの座面が路面から１．４ｍ前後あるため、運転手の眼の高さは路面から２．０ｍ以上になる。
着座位置が高い場所にある自動車を運転手が運転する場合、運転手にとって前方の視野が広くなる。そのため、運転手が正面視した際に遠方視となるのはもちろんのこと、正面視から３０°下方の視線角度までの範囲においても、自車の直前から数台先を走行する先行車の動きを確認するなどの遠方視を行う必要が生じる。
【００１１】
また、大型車両の運転手は、小型車両の運転手と同様、前方の状況を見ることを中心とした遠方視と、スピードメータなどの計器類を確認する近方視とを繰り返しながら運転を行うことになる。更に、大型車両の運転手は、仕事で大型車両を運転しているいわゆる職業ドライバーが多く、職業ドライバーにおける一日の運転時間は、その他の職業の運転手よりも非常に長い。そして、職業ドライバーにおいても高齢化が進んでおり、近方視と遠方視の間の眼の調節力が低下している運転手も少なくない。そのような運転手にとっては、近方視と遠方視の移行の繰り返しは、大きな疲労を招来することになる。そして、運転手が運転によって疲労してくると、計器類を確認する近方視を行った直後に、再度、運転手の前方において遠方視を行った場合、遠方に眼の焦点が合うまでに時間がかかるようになる。近方視にて計器類を確認した後に遠方視に移行する際に眼のピントを合わせるのに時間がかかることは、運転手にとって非常に危険なものとなる。また、運転手は、眼のピント合わせに神経を集中しなければならず、更なる疲労の原因となり、悪循環となる。
【００１２】
なお、遠方視から近方視へと移行する際の眼の調節を補助する眼鏡レンズ１として、先に挙げた累進屈折力レンズを従来の設計のまま採用することも考えられる。その一例が、特許文献５に記載された累進屈折力レンズである。確かに、特許文献５では、累進屈折力レンズが、遠用部を広く有し、光学中心から下方には中間部を備えることにより近用部を無くしたとされている。
【００１３】
しかしながら、特許文献５に記載の累進屈折力レンズを用いた眼鏡レンズ１においてフィッティングポイント３から３０°下方の視線角度に該当する箇所は、加入度数が作用する累進部に位置することになる。例え、特許文献５において、近用部を無くして中間部を設けたとしても、当該箇所においては加入度数が既に作用している（特許文献５の図１や図６）。
【００１４】
この様子について、図２を用いて説明する。図２は、特許文献５における累進屈折力レンズの主柱視線上における上下方向の位置（横軸）と当該位置における加入度数（縦軸）との間の関係を示すグラフである。なお、累進屈折力レンズにおいて設定された加入度数は０．９０Ｄであり、原点はフィッティングポイントである。
図２を見ると、フィッティングポイント３の直下から下方に向けて既に加入度数の増加が始まっている。
【００１５】
大型車両の運転手が頻繁に視線を向けるのは、大型車両から前方５〜１０ｍに存在する先行車両の後部である。その際の運転手の視線は、着座位置の高さを考慮すると、フィッティングポイント３よりもかなり下方に向いている。従来の累進屈折力レンズを眼鏡レンズ１にそのまま採用してしまうと、フィッティングポイント３から下方に向けて既に加入度数が与えられ度数が増加していく部分において、大型車両の運転手は遠方視を行うことになってしまう。そして、遠用部と近用部との間の視線の移行のみならず、遠用部と累進部との間、累進部と近用部との間の視線の移行が頻繁に行われることになる。そのため、従来の累進屈折力レンズを用いた眼鏡レンズ１は、大型車両の運転手に対して、水平に近い視線の角度の方向では所望の遠方視力を与える一方、先行車両を確認するためのやや下方の角度の方向での遠方視力は十分ではなく、そのため、大型車両の運転手の眼に対して大きな負担を与えている。
【００１６】
実際に、大型車両の運転手は先行車両を確認するためのやや下方の角度の方向での遠方視力を確保するために、顎を強く引いて、累進レンズの上側の領域の加入屈折作用の無い領域を使って先行車両を見なければならない。そうなると、大型車両の運転手は、運転中に前方を見るために頻繁に強く顎を引くことになる。この姿勢は、大型車両の運転手にとって不自然な姿勢であり、快適ではない。また、このような姿勢をとることにより、大型車両の運転手の疲労が増大してしまうおそれもある。
【００１７】
上記の負担の増大や疲労の増大が発生してしまう累進屈折力レンズとしては、特許文献５のように、遠用部を広く設け、かつ、近用部の代わりに光学中心の直下に中間部を設けた累進屈折力レンズでも例外ではない。光学中心の直下に存在する領域が中間部であると銘打っているとはいえども、光学中心の直下から既に加入屈折作用が働いているためである。このことからも、特許文献５の記載からでは、本発明の課題を窺い知ることはできないし、課題の解決もままならない。
【００１８】
まとめると、大型車両の運転手は、小型車両の着座位置に比べて極めて高い位置に座ることになり、運転席から見下ろす形で遠方視を行うことになる。従来の累進屈折力レンズを用いた眼鏡レンズ１では、遠方視を累進部にて行うことになってしまう。本来ならば遠方視から近方視への移行における疲労を軽減するための累進屈折力レンズが、逆に、大型車両の運転手の眼に対し、ひいては大型車両の運転手自身に大きな負担を与えてしまっていることを、本発明者は初めて見出した。
【００１９】
この知見に基づき、本発明者は、大型車両の運転以外の状況に関しても調査を行った。その結果、大型車両の運転に限らず、その他の日常の作業においても、上記のような課題が生じていることが明らかとなった。例えば、座高が高い者が小型車両を運転する場合、目の前の状況を手元の記録用具にて記録する場合、遠方の装置の様子を見ながら手元の制御装置で制御する場合等々、上記のような課題が生じる状況は、枚挙にいとまがない。
【００２０】
あくまで、大型車両の運転に関する上記の課題は、氷山の一角に過ぎないことが、本発明者の調査により明らかとなった。結局、以下の本発明の課題を解決するためには、大型車両の運転に用いる眼鏡レンズ１のみならず、その他の日常的な作業に用いられる眼鏡レンズ１を提供する必要があることが、本発明者の調査により明らかとなった。
【００２１】
そこで本発明は、フィッティングポイントより下方においても遠方視を行う必要のある装用者に対して、遠方視と近方視との間の移行に伴う眼への負担を軽減する累進屈折力レンズを提供することを目的とする。
【課題を解決するための手段】
【００２２】
先に述べたように、大型車両、即ちトラック、トレーラー、バスなどを運転する際には、それら独特の課題が隠されていることを、本発明者は見出した。そして、その課題は、大型車両の運転の場合のみならず、その他の日常的な作業においても生じ得ることも、本発明者は見出した。そして、本発明者は、上記の課題について検討を加えた。その際、上記の課題を見つけるきっかけとなった大型車両の運転に関して検討を加えた。具体的に言うと、大型車両の運転手がどのような状況で運転しているかについて検討した。
【００２３】
まず、大型車両における運転席からの視野について検討した。大型車両におけるフロントガラスは、上下方向においても左右方向においても非常に大きい。そのため、運転手が顔の向きを全く変えないで前方を見た場合、遠方視の視線は、正面視から下方４０°程度にまで及んでいることがわかった。
【００２４】
また、大型車両の運転手の平均的な顔の向きは水平よりもやや下方の１０°程度下方に向けられていることもわかった。それに加え、大型車両の運転手が、前方水平方向の遠方にある対象を見ている状態から、大型車両から前方１０ｍ程度に存在する先行車両の後部を見て確認する際、大型車両の運転手の顔の向きは、更に５°程度下方に向けられることもわかった。
【００２５】
更に、大型車両の運転席から左右のドアミラーを見る場合は、右ドアミラーは右方向３０°で下方１０°、左ドアミラーは左方向６０°で下方５°程度の視線方向で確認することもわかった。これは、左右の水平に近い視線方向である。
【００２６】
その一方、先に述べたように、従来の累進屈折力レンズを用いた眼鏡レンズ１においてフィッティングポイントから３０°下方の視線角度に該当する箇所は、加入度数が作用する累進部に位置することになっていた。
【００２７】
これらのことから、本発明者は、上記の課題についての知見を得たことにより、以下の累進屈折力レンズを想到した。即ち、累進屈折力レンズにおいて、
（１）左右方向も含めた遠方視を良好に確保すべく、少なくとも、フィッティングポイントを通過する水平線上の所定の部分では非点収差及び相対平均度数の分布の数値を低めないしゼロに設定しておく。
（２）それと共に、累進屈折力レンズの装用者（例えば大型車両の運転手）が遠方視する場合の視線が累進屈折力レンズを通過する箇所においては、加入度数の作用を抑えておく。そして、累進屈折力レンズの装用者（例えば大型車両の運転手）が遠方視する下方の限界（例えば大型車両のフロントガラスの下端に対応する位置）を超えた部分から加入度数を作用させる。
という知見を、本発明者は得た。
【００２８】
なお、本明細書では、「相対平均度数」とは、累進レンズの遠用度数を基準としたレンズ各位置における相対的な平均度数の偏差のことである。
また、「非点収差」とは、累進レンズの遠用度数の乱視度数を基準としたレンズ各位置における相対的な乱視度数の偏差のことである。
【００２９】
以上の知見を具体化したものが、以下の態様である。
本発明の第１の態様は、
上方から下方にかけて、遠用部、累進部及び近用部が形成されており、装用者が正面視をしたときに視線が通過するフィッティングポイントが予め設定されている累進屈折力レンズにおいて、
累進屈折力レンズを装用する際に鼻側となる方向を内側、耳側となる方向を外側とすると、フィッティングポイントを通過する水平線上の部分であって、フィッティングポイントから少なくとも２０ｍｍ内側へ離れた位置から、フィッティングポイントから少なくとも２０ｍｍ外側へ離れた位置までの間では、非点収差及び相対平均度数の分布を０．５０Ｄ未満とし、
フィッティングポイントから少なくとも５ｍｍ下方までの加入度数の割合を、累進屈折力レンズにて設定された加入度数の１０％以下とした、累進屈折力レンズである。
本発明の第２の態様は、第１の態様に記載の発明において、
フィッティングポイントから少なくとも６ｍｍ下方までの加入度数の割合を、累進屈折力レンズにて設定された加入度数の１５％以下とした、累進屈折力レンズである。
本発明の第３の態様は、第１または第２の態様に記載の発明において、
フィッティングポイントから少なくとも４ｍｍ下方までの加入度数の割合を、累進屈折力レンズにて設定された加入度数の５％以下とした、累進屈折力レンズである。
本発明の第４の態様は、第１ないし３のいずれかの態様に記載の発明において、
フィッティングポイントから少なくとも１０ｍｍ下方までの加入度数の割合を、累進屈折力レンズにて設定された加入度数の５０％以下とした、累進屈折力レンズである。
本発明の第５の態様は、第１ないし４のいずれかの態様に記載の発明において、
フィッティングポイントから少なくとも４ｍｍ下方までの加入度数を０．１０Ｄ以下とした、累進屈折力レンズである。
本発明の第６の態様は、第１ないし５のいずれかの態様に記載の発明において、
フィッティングポイントから少なくとも５ｍｍ下方までの加入度数を０．２５Ｄ以下とした、累進屈折力レンズである。
【発明の効果】
【００３０】
本発明によれば、フィッティングポイントより下方においても遠方視を行う必要のある装用者に対して、遠方視と近方視との間の移行に伴う眼への負担を軽減する累進屈折力レンズを提供できる。
【図面の簡単な説明】
【００３１】
【図１】累進屈折力レンズを用いた眼鏡レンズの表面において、設計に用いられる各種の点の位置について説明する図である。
【図２】特許文献５における累進屈折力レンズの主柱視線上における上下方向の位置（横軸）と当該位置における加入度数（縦軸）との間の関係を示すグラフである。なお、累進屈折力レンズにおいて設定された加入度数は０．９０Ｄであり、原点はフィッティングポイントである。
【図３】本実施形態における累進屈折力レンズの累進面における非点収差分布を示す図である。なお、累進屈折力レンズにおいて設定された加入度数は１．５０Ｄである。
【図４】本実施形態における累進屈折力レンズの累進面における相対平均度数分布を示す図である。なお、累進屈折力レンズにおいて設定された加入度数は１．５０Ｄである。
【図５】本実施形態における累進屈折力レンズの主柱視線上における上下方向の位置（横軸）と当該位置における加入度数（縦軸）との間の関係を示すグラフである。なお、累進屈折力レンズにおいて設定された加入度数は１．５０Ｄであり、原点はフィッティングポイントである。
【図６】本実施形態における累進屈折力レンズの累進面における非点収差分布を示す図である。なお、累進屈折力レンズにおいて設定された加入度数は２．００Ｄである。
【図７】本実施形態における累進屈折力レンズの累進面における相対平均度数分布を示す図である。なお、累進屈折力レンズにおいて設定された加入度数は２．００Ｄである。
【図８】本実施形態における累進屈折力レンズの主柱視線上における上下方向の位置（横軸）と当該位置における加入度数（縦軸）との間の関係を示すグラフである。なお、累進屈折力レンズにおいて設定された加入度数は２．００Ｄであり、原点はフィッティングポイントである。
【図９】本実施形態における累進屈折力レンズの累進面における非点収差分布を示す図である。なお、累進屈折力レンズにおいて設定された加入度数は２．５０Ｄである。
【図１０】本実施形態における累進屈折力レンズの累進面における相対平均度数分布を示す図である。なお、累進屈折力レンズにおいて設定された加入度数は２．５０Ｄである。
【図１１】本実施形態における累進屈折力レンズの主柱視線上における上下方向の位置（横軸）と当該位置における加入度数（縦軸）との間の関係を示すグラフである。なお、累進屈折力レンズにおいて設定された加入度数は２．５０Ｄであり、原点はフィッティングポイントである。
【発明を実施するための形態】
【００３２】
以下、本発明の実施の形態について説明する。
本実施形態においては、次の順序で説明を行う。
１．累進屈折力レンズ
（１）非点収差及び相対平均度数の分布の設定
（２）加入度数の設定
２．実施の形態による効果
３．変形例
【００３３】
なお、本実施形態における累進屈折力レンズは眼鏡用であり、通常の眼鏡レンズ１と同様、物体側表面である第１面と眼球側表面である第２面とを有している。そして、第１面に累進面を設定した累進屈折力レンズを「外面累進レンズ」と呼んでいる。また、第２面に累進面を設定した累進屈折力レンズを「内面累進レンズ」と呼んでいる。また、両面に累進面を設定した累進屈折力レンズを「両面累進レンズ」と呼んでいる。また、第１面に垂直方向の累進成分を持つ非球面を持ち、第２面に水平方向の累進成分を持つ非球面を持つ様な両面を複合させて累進屈折力レンズとする「両面複合累進レンズ」と呼んでいる。
本実施形態においては、累進屈折力レンズを内面累進レンズとした場合について述べる。以降、特記のない限り、第１面を凸面、第２面を凹面とした眼鏡レンズ１を用いて説明する。また、累進屈折力を有する面のことを「累進面」とも言う。また、第１面を累進面とした外面累進レンズ、並びに、第１面及び第２面共に累進面とした両面累進レンズや第１面に垂直方向の累進成分を持つ非球面を持ち、第２面に水平方向の累進成分を持つ非球面を持つ様な両面を複合させて累進屈折力レンズとする「両面複合累進レンズ」については＜３．変形例＞にて述べる。
【００３４】
＜１．累進屈折力レンズ＞
本実施形態における累進屈折力レンズは、物体側表面である第１面と眼球側表面である第２面とを有し、且つ、遠方視のための遠用部と近方視のための近用部と遠用部と近用部との間に設けられた中間視のための累進部とを有する。そして、上述の通り、本実施形態においては第２面に累進面を設定している。また、本実施形態においては左眼用の累進屈折力レンズを一例として挙げる。
【００３５】
図３は、本実施形態における累進屈折力レンズの累進面における非点収差分布を示す図であり、図４は、相対平均度数分布を示す図である。
また、本明細書において、「累進レイアウト」とは、図３のような非点収差分布や、図４のような相対平均度数分布を含む。
【００３６】
なお、本明細書において、累進屈折力レンズを装用する際に鼻側となる方向を「内側」、耳側となる方向を「外側」とする。また、５ｍｍ下方等のように本明細書における距離の記載は、図１に示すように、累進屈折力レンズを平面視した際の累進レイアウト（図３および図４）上での距離を指す。なお、図３および図４の中の水平方向軸及び天地方向軸には目盛りが入っているが、１目盛りが５ｍｍの距離に相当する。つまり、２０ｍｍの距離は、目盛り４つ分に相当する。
【００３７】
本実施形態においては左眼用の累進屈折力レンズを例に挙げているので、近用アイポイント４は若干内側（向かって右側）に位置している。遠用度数測定基準点２、フィッティングポイント３、近用アイポイント４を通過する線が主注視線となり、眼鏡レンズ１上において装用者の視線が通過する箇所となる。
【００３８】
図３を見ればわかるように、像の歪みの要因の一つである非点収差は、主注視線上では可能な限り少なくする。この主注視線は、上方から下方に向けて、若干内側にシフトさせている。このシフト量のことを内寄せ量とも言う。この設計は、装用者が下方に視線を向けると、内側の方に視線が向くことに起因している。
【００３９】
また、図３の非点収差の等高線の間隔のうち、フィッティングポイント３の付近より上方では内外方向（向かって左右方向）で鏡面対称である一方、近用アイポイント４付近より下方では内側（向かって右側）では密、耳側（向かって左側）では疎、となっている。この特徴は、図４のような相対平均度数分布でも同じである。
【００４０】
一方、図４のような相対平均度数分布では、フィッティングポイント３から出発して上方から下方に向けて、主注視線上では度数が増加していく。本実施形態においては、フィッティングポイント３から近用アイポイント４までの領域を累進帯と呼ぶ。そして、近用度数測定基準点５まで度数が増加し、所望の加入度数を有する累進屈折力レンズとなる。
なお、右眼用の累進屈折力レンズでは、装用者の処方にもよるが、累進レイアウトは左眼用の累進屈折力レンズに対して左右略対称となる。
【００４１】
この累進屈折力レンズには、図１に示すように、予め、上方から下方にかけて、遠用度数測定基準点２、フィッティングポイント３、近用アイポイント４、近用度数測定基準点５を設定している。累進屈折力レンズの直径は８０ｍｍとしている。各種の点の位置について一例を挙げると、遠用度数測定基準点２は、幾何中心から上方８ｍｍ、フィッティングポイント３は幾何中心から上方４ｍｍの場所に配置されている。また、近用アイポイント４は幾何中心から下方１０ｍｍ、近用度数測定基準点５は近用アイポイント４から更に下方５ｍｍの場所に配置されており、近用アイポイント４及び近用度数測定基準点５は、内寄せ量に応じて内側にシフトしている。
【００４２】
以下、本実施形態の特徴について詳述する。本実施形態においては、中型ないし大型車両（単に「大型車両」と言う。）の運転に用いられる累進屈折力レンズについて述べる。大型車両の運転用へと累進屈折力レンズの設計を特化させることに、本実施形態の特徴がある。更に、この累進屈折力レンズにおける累進面の設計の際に、以下の２つの条件（１）及び（２）を反映させた設計としていることに主な特徴がある。
（１）フィッティングポイント３を通過する水平線上の部分であって、フィッティングポイント３から少なくとも２０ｍｍ内側へ離れた位置から、フィッティングポイント３から少なくとも２０ｍｍ外側へ離れた位置までの間では、非点収差及び相対平均度数の分布を０．５０Ｄ未満とする。
（２）フィッティングポイント３から少なくとも５ｍｍ下方までの加入度数の割合を、累進屈折力レンズにて設定された加入度数の１０％以下とする。
【００４３】
（１）非点収差及び相対平均度数の分布の設定
先にも述べたように、大型車両の運転席から左右のドアミラーを見る場合は、右ドアミラーは右方向３０°で下方１０°、左ドアミラーは左方向６０°で下方５°程度の視線方向で確認する。これは、左右の水平に近い視線方向である。そして、大型車両の運転手は、左右のドアミラーに移った自車の後方の像を見るが、このミラーは平面鏡ではなく、ミラーに映る範囲を広くするために緩いカーブの凸面鏡を使用している。そして、このミラーに映った後方の像を見ることは運転手の眼から像までの距離を想定すると  ドアミラーに見える後方の像はミラーの面よりも遠い位置にできるため、運転手に近い位置にある方の運転席側のドアミラーで見た場合でも  遠方視に該当する。そこで、従来の累進屈折力レンズとは異なり、本実施形態においては、フィッティングポイント３から少なくとも２０ｍｍ内側及び外側の間の部分（以降、単に「内外２０ｍｍの部分」とも言う。）では、非点収差及び相対平均度数の分布を０．５０Ｄ未満としている。非点収差及び相対平均度数の分布が０．５０Ｄ未満ならば、大型車両の運転手がドアミラーで後方を確認する際に与える疲労を少なくすることが可能となる。
【００４４】
一般に、フィッティングポイント３の内外方向に広く遠用部を設けてしまうと、その分、累進部及び近用部にしわ寄せがくる。このしわ寄せは、眼鏡レンズ１の側方部分における非点収差の過度の上昇や、フィッティングポイント３から下方に向けて度数の上昇が突如発生するという形となって現れる。このことに関しては、特許文献５のように、遠用部を広く設け、かつ、近用部の代わりに光学中心の直下に中間部を設けた累進屈折力レンズでも例外ではない。
しかしながら、本発明者はこのしわ寄せを乗り越え、フィッティングポイント３の下方において、以下の構成を採用している。
【００４５】
（２）加入度数の設定
先にも述べたように、大型車両の運転手の着座位置は、小型車両（例えば家庭用乗用車）に比べて極めて高い。そのため、運転手が正面視した際に遠方視となるのはもちろんのこと、正面視から３０°下方の視線角度までの範囲においても遠方視を行う必要が生じる。そこで、本実施形態においては、フィッティングポイント３から少なくとも５ｍｍ下方までの加入度数の割合を、累進屈折力レンズにて設定された加入度数の１０％以下としている。なお、５ｍｍ下方というのは、運転手の眼の高さが地上から２．４ｍ以上となる通常の大型車両を運転する運転手が前方を見る際、フロントガラスの下端に対応する位置である。本実施形態においては、この位置が、大型車両の運転手が遠方視する下方の限界としている。
【００４６】
なお、「フィッティングポイントから少なくとも５ｍｍ下方」とは、水平線に対して垂直方向において上下方向のことを示すが、上述の通り、主注視線は内側に内寄せされている。そのため、厳密に言えば、「ほんのわずかだが垂直方向の下方であって内側よりの方向において少なくとも５ｍｍ下方」である。本実施形態の「５ｍｍ下方」とは、上記の両方の意味を含む。
【００４７】
上記の内容について、図５を用いて説明する。図５は、本実施形態における累進屈折力レンズの主柱視線上における上下方向の位置（横軸）と当該位置における加入度数（縦軸）との間の関係を示すグラフである。なお、累進屈折力レンズにおいて設定された加入度数は１．５０Ｄであり、原点はフィッティングポイント３である。
【００４８】
図２と図５を比較すれば明らかなように、上方から下方に向けて見ていくと、従来例の図２だとフィッティングポイント３の直下で度数が増加しており、加入度数が働いている。累進帯はフィッティングポイント３から近用アイポイント４に至るまでに設けられていることを考えると、これが通常のはずである。また、折角の累進帯にもかかわらず度数を増加させなければ、（１）非点収差及び相対平均度数の分布の設定、にて述べたようなしわ寄せが生じてしまう。
【００４９】
しかしながら、本発明者は、正面視から３０°下方の視線角度までの範囲においても遠方視を行うことを重視した。その結果、本実施形態においては、累進帯にもかかわらず、あえて、フィッティングポイント３の５ｍｍ下方までの加入度数の割合を、累進屈折力レンズにて設定された加入度数の１０％以下とし、フィッティングポイント３の直下における加入度数の働きを抑制している。
なお、ここで言う「累進屈折力レンズにて設定された加入度数」とは、フィッティングポイント３から近用度数測定基準点５までの度数の増加量のことを指す。
【００５０】
上記の構成を採用することにより、大型車両から前方１０ｍ程度に存在する先行車両の後部を見て確認する際であっても、運転手の視線は、加入度数の働きが抑制された眼鏡レンズ上の部分に当たることになる。そして、頻繁に視線を向ける先行車両の後部を見ても、加入度数の働きが抑制されていることから、先行車両の後部から前方や左右のドアミラーに視線を移しても、運転手の眼を疲労させることが極めて少なくなる。また、計器類を見るべく近方視となる場合であって、近用アイポイント４近傍だと急に加入度数が作用するように累進屈折力レンズが設計されている場合であっても、頻繁に視線を向ける部分にて加入度数の働きが抑制されているので、運転手は極めて楽に視線の移動を行うことができる。逆に、計器類を見るべく近方視した後に、再び、自車の前方数台先にある車両あるいは自車の直前の先行車両の後部を見る際には、運転手は、視線を移す直前にレンズの加入度数を利用して計器類を見ていたため、より早く遠方にピントを合わせることができるようになるので、疲労軽減の効果が絶大となる。
【００５１】
なお、上記の条件「フィッティングポイント３の下方５ｍｍ下方までの加入度数の割合を、累進屈折力レンズにて設定された加入度数の１０％以下」は、１０％をさらに限定して８％以下であるのがより好ましい。なお、上記の条件のことを、以降の説明の便宜上、（条件２−１）と言う。
【００５２】
ちなみに、上記の（条件２−１）に加え、以下の条件を加えることも効果的である。そうすれば、本発明の特徴である「遠方視する場合の視線が累進屈折力レンズを通過する箇所においては、加入度数の作用を抑えておき、遠方視する下方の限界を超えた部分から加入度数を作用させる」ことがさらに確実となる。
（条件２−２）フィッティングポイント３から少なくとも６ｍｍ下方までの加入度数の割合を、累進屈折力レンズにて設定された加入度数の１５％以下（好ましくは１２％以下）とする。
（条件２−３）フィッティングポイント３から少なくとも４ｍｍ下方までの加入度数の割合を、累進屈折力レンズにて設定された加入度数の５％以下（好ましくは４％以下）とする。
（条件２−４）フィッティングポイント３から少なくとも１０ｍｍ下方までの加入度数の割合を、累進屈折力レンズにて設定された加入度数の５０％以下（好ましくは３５％以下）とする。
（条件２−５）フィッティングポイント３から少なくとも４ｍｍ下方までの加入度数を０．１０Ｄ（好ましくは０．０６Ｄ以下）以下とする。
（条件２−６）フィッティングポイント３から少なくとも５ｍｍ下方までの加入度数を０．２５Ｄ以下（好ましくは０．１６Ｄ以下）とする。
【００５３】
また、累進屈折力レンズとしての加入度数（累進屈折力レンズを用いた眼鏡レンズ１全体の加入度数）を２．５０Ｄ以下とするのが好ましい。こうすることにより、条件（１）で述べたようなしわ寄せの度合いを小さくすることが可能となる。また、加入度数が２．５０Ｄ以下であっても、累進屈折力レンズに近方視のための近用部があれば、通常、大型車両の運転手は、近方視を必要とする作業を適切に行うことができる。もちろん、運転手が高齢者の場合であっても、上記の作業を適切に行うことができる。この作業としては、大型車両の速度計のような計器類の確認のみならず、例えば、大型車両の運転とは異なる作業である荷物の配送に伴う伝票作業や、走行日誌の記入作業等、比較的短時間の近距離作業が挙げられる。
加入度数を作用させるための具体的な設計の例としては、以下のものがある。
【００５４】
［加入度数ＡＤＤ＝１．５０Ｄ］
まず、図３および４に示すように、遠用度数測定基準点２、フィッティングポイント３、近用アイポイント４、近用度数測定基準点５を設定する。なお、これらの点の配置は、大型車両の運転手と計器類との距離や運転手の姿勢に基づいている。即ち、運転手からスピードメータ等の計器類までの距離は８０ｃｍ程度であり、下方４０°の方向にある。そして、運転手は、計器類を見るときに顔を１５°下方へと向けることを想定している。それを反映させて、フィッティングポイント３を通過する水平線上の部分であって、フィッティングポイント３から少なくとも２０ｍｍ内側へ離れた位置から、フィッティングポイント３から少なくとも２０ｍｍ外側へ離れた位置までの間では、非点収差及び相対平均度数の分布を０．５０Ｄ未満としている。
【００５５】
その上で、図３〜４に示すように、近用アイポイント４を内寄せさせて配置し、近用アイポイント４の下方における近用度数測定基準点５での加入度数は１．５０Ｄに設定している。
【００５６】
（加入度数ＡＤＤ＝１．５０Ｄにて条件２−１に対応する値）
また、図５に示すように、特許文献５（図２）とは異なり、フィッティングポイント３から少なくとも５ｍｍ下方までの加入度数の割合を、累進屈折力レンズにて設定された加入度数の１０％以下としている。この数値の算出方法について、以下、説明する。図５に示すように、フィッティングポイント３からの距離Ｙが５ｍｍのときの加入度数は、Ｙ＝４〜７．３３の値と加入度数０．０６〜０．２５との関係におけるグラフの傾きから計算すると、０．１２Ｄとなる。そして、累進屈折力レンズに設定された加入度数が１．５０Ｄに対し、この値の割合は７．８％となり、条件を満たす。以降、図中の表に記載のないＹの値に対応する加入度数は、上記の手法を用いて計算している。
【００５７】
（加入度数ＡＤＤ＝１．５０Ｄにて条件２−２に対応する値）
フィッティングポイント３から少なくとも６ｍｍ下方までの加入度数の割合を、累進屈折力レンズにて設定された加入度数の１５％以下とするところ、加入度数ＡＤＤ＝１．５０Ｄの場合、図５から算出すると、Ｙ＝６．０の場合、加入度数は０．１７４Ｄとなり、割合は１１．６％となり、条件を満たす。
【００５８】
（加入度数ＡＤＤ＝１．５０Ｄにて条件２−３に対応する値）
フィッティングポイント３から少なくとも４ｍｍ下方までの加入度数の割合を、累進屈折力レンズにて設定された加入度数の５％以下とするところ、加入度数ＡＤＤ＝１．５０Ｄの場合、図５から算出すると、Ｙ＝４．０の場合、加入度数は０．０６Ｄとなり、割合は４．０％となり、条件を満たす。
【００５９】
（加入度数ＡＤＤ＝１．５０Ｄにて条件２−４に対応する値）
フィッティングポイント３から少なくとも１０ｍｍ下方までの加入度数の割合を、累進屈折力レンズにて設定された加入度数の５０％以下とするところ、加入度数ＡＤＤ＝１．５０Ｄの場合、図５から算出すると、Ｙ＝１０．０の場合、加入度数は０．４９１Ｄとなり、割合は３２．６％となり、条件を満たす。
【００６０】
（加入度数ＡＤＤ＝１．５０Ｄにて条件２−５に対応する値）
フィッティングポイント３から少なくとも４ｍｍ下方までの加入度数を０．１０Ｄ以下とするところ、加入度数ＡＤＤ＝１．５０Ｄの場合、図５から算出すると、Ｙ＝４．０の場合、加入度数は０．０６Ｄとなっていることから、条件を満たす。
【００６１】
（加入度数ＡＤＤ＝１．５０Ｄにて条件２−６に対応する値）
フィッティングポイント３から少なくとも５ｍｍ下方までの加入度数を０．２５Ｄ以下とするところ、加入度数ＡＤＤ＝１．５０Ｄの場合、図５から算出すると、Ｙ＝５．０の場合、加入度数は０．１２Ｄとなっていることから、条件を満たす。
【００６２】
［加入度数ＡＤＤ＝２．００Ｄ］
本例においても、フィッティングポイント３を通過する水平線上の部分であって、フィッティングポイント３から少なくとも２０ｍｍ内側へ離れた位置から、フィッティングポイント３から少なくとも２０ｍｍ外側へ離れた位置までの間では、非点収差及び相対平均度数の分布を０．５０Ｄ未満としている。
【００６３】
その上で、図３〜５に対応する図６〜８（特に図６〜７）に示すように、近用アイポイント４を内寄せさせて配置し、近用アイポイント４の下方における近用度数測定基準点５での加入度数は２．００Ｄに設定している。
【００６４】
（加入度数ＡＤＤ＝２．００Ｄにて条件２−１に対応する値）
また、図８に示すように、フィッティングポイント３からの距離Ｙが５ｍｍのときの加入度数は、Ｙ＝４〜６．６１７の値と加入度数０．０６〜０．２５との関係におけるグラフの傾きから計算すると、０．１３Ｄとなる。そして、累進屈折力レンズに設定された加入度数が２．００Ｄに対し、この値の割合は６．６％となる。その結果、累進屈折力レンズにて設定された加入度数の１０％以下という条件を満たしている。
【００６５】
（加入度数ＡＤＤ＝２．００Ｄにて条件２−２に対応する値）
フィッティングポイント３から少なくとも６ｍｍ下方までの加入度数の割合を、累進屈折力レンズにて設定された加入度数の１５％以下とするところ、加入度数ＡＤＤ＝２．００Ｄの場合、図８から算出すると、Ｙ＝６．０の場合、加入度数は０．１７４Ｄとなり、割合は１０．３％となり、条件を満たす。
【００６６】
（加入度数ＡＤＤ＝２．００Ｄにて条件２−３に対応する値）
フィッティングポイント３から少なくとも４ｍｍ下方までの加入度数の割合を、累進屈折力レンズにて設定された加入度数の５％以下とするところ、加入度数ＡＤＤ＝２．００Ｄの場合、図８から算出すると、Ｙ＝４．０の場合、加入度数は０．０６Ｄとなり、割合は３％となり、条件を満たす。
【００６７】
（加入度数ＡＤＤ＝２．００Ｄにて条件２−４に対応する値）
フィッティングポイント３から少なくとも１０ｍｍ下方までの加入度数の割合を、累進屈折力レンズにて設定された加入度数の５０％以下とするところ、加入度数ＡＤＤ＝２．００Ｄの場合、図８から算出すると、Ｙ＝１０．０の場合、加入度数は０．６５２Ｄとなり、割合は３２．６％となり、条件を満たす。
【００６８】
（加入度数ＡＤＤ＝２．００Ｄにて条件２−５に対応する値）
フィッティングポイント３から少なくとも４ｍｍ下方までの加入度数を０．１０Ｄ以下とするところ、加入度数ＡＤＤ＝２．００Ｄの場合、図８から算出すると、Ｙ＝４．０の場合、加入度数は０．０６Ｄとなっていることから、条件を満たす。
【００６９】
（加入度数ＡＤＤ＝２．００Ｄにて条件２−６に対応する値）
フィッティングポイント３から少なくとも５ｍｍ下方までの加入度数を０．２５Ｄ以下とするところ、加入度数ＡＤＤ＝２．００Ｄの場合、図８から算出すると、Ｙ＝５．０の場合、加入度数は０．１３Ｄとなっていることから、条件を満たす。
【００７０】
［加入度数ＡＤＤ＝２．５０Ｄ］
本例においても、フィッティングポイント３を通過する水平線上の部分であって、フィッティングポイント３から少なくとも２０ｍｍ内側へ離れた位置から、フィッティングポイント３から少なくとも２０ｍｍ外側へ離れた位置までの間では、非点収差及び相対平均度数の分布を０．５０Ｄ未満としている。
【００７１】
その上で、図３〜５に対応する図９〜１１（特に図９〜１０）に示すように、近用アイポイント４を内寄せさせて配置し、近用アイポイント４の下方における近用度数測定基準点５での加入度数は２．５０Ｄに設定している。
【００７２】
（加入度数ＡＤＤ＝２．５０Ｄにて条件２−１に対応する値）
また、図１１に示すように、フィッティングポイント３からの距離Ｙが５ｍｍのときの加入度数は、Ｙ＝４〜６の値と加入度数０．０６〜０．２５との関係におけるグラフの傾きから計算すると、０．１６Ｄとなる。そして、累進屈折力レンズに設定された加入度数が２．５０Ｄに対し、この値の割合は６．２％となる。その結果、累進屈折力レンズにて設定された加入度数の１０％以下という条件を満たしている。
【００７３】
（加入度数ＡＤＤ＝２．５０Ｄにて条件２−２に対応する値）
フィッティングポイント３から少なくとも６ｍｍ下方までの加入度数の割合を、累進屈折力レンズにて設定された加入度数の１５％以下とするところ、加入度数ＡＤＤ＝２．５０Ｄの場合、図１１から算出すると、Ｙ＝６．０の場合、加入度数は０．２５Ｄとなり、割合は１０．０％となり、条件を満たす。
【００７４】
（加入度数ＡＤＤ＝２．５０Ｄにて条件２−３に対応する値）
フィッティングポイント３から少なくとも４ｍｍ下方までの加入度数の割合を、累進屈折力レンズにて設定された加入度数の５％以下とするところ、加入度数ＡＤＤ＝２．５０Ｄの場合、図１１から算出すると、Ｙ＝４．０の場合、加入度数は０．０６Ｄとなり、割合は２．４％となり、条件を満たす。
【００７５】
（加入度数ＡＤＤ＝２．５０Ｄにて条件２−４に対応する値）
フィッティングポイント３から少なくとも１０ｍｍ下方までの加入度数の割合を、累進屈折力レンズにて設定された加入度数の５０％以下とするところ、加入度数ＡＤＤ＝２．５０Ｄの場合、図１１から算出すると、Ｙ＝１０．０の場合、加入度数は０．８３１Ｄとなり、割合は３３．３％となり、条件を満たす。
【００７６】
（加入度数ＡＤＤ＝２．５０Ｄにて条件２−５に対応する値）
フィッティングポイント３から少なくとも４ｍｍ下方までの加入度数を０．１０Ｄ以下とするところ、加入度数ＡＤＤ＝２．５０Ｄの場合、図１１から算出すると、Ｙ＝４．０の場合、加入度数は０．０６Ｄとなっていることから、条件を満たす。
【００７７】
（加入度数ＡＤＤ＝２．５０Ｄにて条件２−６に対応する値）
フィッティングポイント３から少なくとも５ｍｍ下方までの加入度数を０．２５Ｄ以下とするところ、加入度数ＡＤＤ＝２．５０Ｄの場合、図１１から算出すると、Ｙ＝６．０の場合、加入度数は０．１６Ｄとなっていることから、条件を満たす。
【００７８】
上記の各例において算出した値を、（条件２−１）〜（条件２−６）と対比させた上でまとめたものが、以下の表１である。
【表１】
2015087439.tif 000003
また、表１には、特許文献５に示される例（従来例）に関する結果もまとめて記載している。以下、説明する。
【００７９】
［特許文献５に示される例  加入度数ＡＤＤ＝０．９０Ｄ］
本実施形態との対比のために、特許文献５に記載の累進屈折力レンズは、（条件２−１）を満たしているか否かについて述べる。
特許文献５に記載の累進屈折力レンズを示す図２を見ると、加入度数が０．９０Ｄという低い値であっても、Ｙ＝５．０の地点では、加入度数は約０．２５Ｄとなっており、割合は２７．８％となり、数値的には上記の（条件２−１）を満たさない。なお、特許文献５の図６には加入度数が１．２５Ｄの場合のグラフが記載されているが、このグラフにおいても同様に上記の（条件２−１）を満たしていない。
【００８０】
また、他にも、（条件２−２）に関しては、図２に示すように、Ｙ＝６．０の地点では、加入度数は約０．３０Ｄとなっており、割合は３３．３％となり、数値的には条件を満たさない。
また、他の条件、詳しく言うと（条件２−６）以外の条件に関しては、以下のように条件を満たさない。
【００８１】
（条件２−３）に関しては、図２に示すように、Ｙ＝４．０の地点では、加入度数は約０．１５Ｄとなっており、割合は１６．７％となり、数値的には条件を満たさない。
【００８２】
（条件２−４）に関しては、図２に示すように、Ｙ＝１０．０の地点では、加入度数は約０．６５Ｄとなっており、割合は７２．２％となり、数値的には条件を満たさない。
【００８３】
（条件２−５）に関しては、図２に示すように、Ｙ＝４．０の地点では、加入度数は約０．１５Ｄとなっており、数値的には条件を満たさない。
【００８４】
本実施形態と特許文献５に記載の技術とは、上記のように、数値として著しく異なるが、それ以上に技術的思想としては全く異なる。以下、両者技術的思想の相違について説明する。
【００８５】
特許文献５は、累進屈折力レンズにおいて、遠用部を広く設け、その上で、近用部を無くしていると述べている（特許文献５の［００６１］）。特許文献５を読む限り、近用部を無くしているのは、中間部がその役割を担っていると考えられる（特許文献５の［００４６］）。累進屈折力レンズに遠用部と中間部としか存在しない関係上、上方から下方に向けて見たときに累進屈折力レンズの上方に存在する遠用部の終端の直下からすぐに加入度数を増加させなければならない。そうでなければ近用部を無くしてまで中間部が近用部の代わりとなることは極めて困難である。また、仮に、本実施形態のように、フィッティングポイント３の直下の部分における加入度数の働きを抑えた場合、抑えた分の反動が中間部の下方に影響を与え、非点収差が大きくなることは避けられない。そうなると、特許文献５の［００７２］に記載のように非点収差の度数勾配の増加を抑えるという記載と相反することになる。以上の検討により、特許文献５では、遠用部を広く設けつつも、遠用部の直下から加入度数を働かせることが技術的思想であると考えられる。
【００８６】
その一方、本実施形態は、特許文献５の技術的思想とは真逆の思想に基づいて構成されている。つまり、フィッティングポイント３の直下の部分における加入度数の働きを抑え、本発明の課題にて述べたような眼鏡の装用者の疲労を軽減させる一方、累進部および近用部における平均度数分布における度数勾配や非点収差分布における度数勾配の増加は甘受する。そもそも、頻繁に視線移動させる部分というのが遠用部の直下５ｍｍの範囲であることから当該範囲にさえ加入度数の働きを抑えていればよい。それよりも下方では、当然、急激に加入度数が働くことになるが、その部分は頻繁に視線移動させるような部分でないため、装用者の疲労は最小限で済む。そのため、上記のような度数勾配の増加を甘受しても、十分に本発明の効果は発揮される。
【００８７】
以上のように、本実施形態は、特許文献５に記載の技術とは、数値的にも異なるし、技術的思想的にも全く異なるものである。
【００８８】
なお、本実施形態の累進屈折力レンズを製造する方法としては、特許文献１〜４に記載のように公知の方法を用いれば良い。概要を述べると、Ａ）セミフィニッシュレンズの準備（準備工程）→Ｂ）セミフィニッシュレンズへの加工（加工工程）→Ｃ）その他（累進屈折力レンズを眼鏡レンズへと製品化するための諸々の加工）を行えば良い。
【００８９】
Ａ）セミフィニッシュレンズの準備
セミフィニッシュレンズは、累進屈折力レンズの基となる基材である。累進屈折力レンズを製造することができるのならば、どのような材質や形状を有していても構わないし、公知のセミフィニッシュレンズを用いても構わない。本実施形態のセミフィニッシュレンズは、略円盤状であり、累進屈折力レンズの第１面となる部分には、所定のベースカーブを有する球面形状が形成されている。また、ベースカーブを有する面と対向する面は、未加工面としている。
【００９０】
まとめると、本実施形態における累進屈折力レンズの第１面を、前記セミフィニッシュレンズにおいて前記ベースカーブを有する面を基とした面としている。そして、本実施形態における第２面を、セミフィニッシュレンズにおいてベースカーブを有する面と対向する面を加工して形成された、累進屈折力を有する面としている。
【００９１】
なお、セミフィニッシュレンズの製造方法は、特許文献１〜４に加え、本出願人による従来技術（ＷＯ２００５／０８４８８５号公報）等、公知のものを用いても構わない。
【００９２】
Ｂ）セミフィニッシュレンズへの加工
本実施形態においては、セミフィニッシュレンズの未加工面が、累進屈折力レンズの第２面となり、累進面となる。なお、ベースカーブの選択は、公知の方法を用いれば良い。ここで選択されたベースカーブを有するセミフィニッシュレンズを選択する。その後、実際にセミフィニッシュレンズへの加工が行われる。
【００９３】
Ｃ）その他
第１面及び第２面が形成された累進屈折力レンズに対し、その他の諸々の工程を行う。例えば、表面検査、染色、ハードコート膜の形成、反射防止膜の形成、レンズ光学性能検査、外観検査、マーキング、ヤゲン加工、洗浄等を行う。こうして、本実施形態における累進屈折力レンズが製造される。
【００９４】
＜２．実施の形態による効果＞
本実施形態においては、以下の効果を奏する。
本実施形態の累進屈折力レンズならば、フィッティングポイント３から下方が累進帯にもかかわらず、フィッティングポイント３の直下においては加入度数が働きにくくなっている。そのため、累進屈折力レンズの中でも度数の増加が抑えられている部分において、本実施形態の累進屈折力レンズの装用者（例えば大型車両の運転手）は遠方視を行うことが可能となる。その結果、本実施形態の累進屈折力レンズは、着座位置が非常に高い大型車両を運転する際の遠方視から近方視へと移行する際の眼の調節を、適切に補助することが可能となる。そして、大型車両の運転手に対して所望の視力を与えつつ、大型車両の運転手の眼に対する負担を軽減することが可能となる。また、頻繁に視線を向ける先行車両の後部を見る際の疲労を軽減できていることから、大型車両の運転中、運転手が他の位置（遠方視が必要な位置又は近方視が必要な位置）へと視線を移したとしても、従来に比べて飛躍的に運転手の疲労を軽減することが可能となる。しかも、運転手が高齢者の場合だと、所望の光学特性を高齢者に提供しつつも、視線の移動の際の負担を飛躍的に軽減することが可能となる。
また、従来の累進屈折力レンズを装用したときのように、大型車両の運転手が顎を強く引いて、累進レンズの上側の領域の加入屈折作用の無い領域を使って先行車両を見る必要もなくなる。そうなると、大型車両の運転手は自然な姿勢で運転することが可能となり、大型車両の運転手の疲労を著しく軽減することが可能となる。
【００９５】
もちろん、大型車両の運転に限らず、先に列挙したような日常の作業においても、本実施形態の累進屈折力レンズを装用することにより、遠方視から近方視へと移行する際の眼の調節を適切に補助することが可能となり、上記に挙げた効果を奏する。
【００９６】
以上、本実施形態によれば、フィッティングポイント３より下方においても遠方視を行う必要のある装用者に対して、遠方視と近方視との間の移行に伴う眼への負担を軽減する累進屈折力レンズを提供することができる。
【００９７】
＜３．変形例＞
本発明の技術的範囲は上述した実施の形態に限定されるものではなく、発明の構成要件やその組み合わせによって得られる特定の効果を導き出せる範囲において、種々の変更や改良を加えた形態も含む。
【００９８】
上記の実施形態では、第２面を累進面とした内面累進レンズについて例を挙げた。もちろん、第１面を累進面とした外面累進レンズ、並びに、第１面及び第２面共に累進面とした両面累進レンズについても、本発明は適用可能である。なお、外面累進レンズの場合は、第１面の累進レイアウトを、上記の実施形態のように設計すれば良い。一方、両面累進レンズや両面複合累進レンズの場合は、第１面と第２面とが組み合わさることにより形成される累進レイアウトが、上記の実施形態のようになれば良い。
【００９９】
条件（１）についてであるが、フィッティングポイント３から内外２０ｍｍの部分では、非点収差及び相対平均度数の分布を０．５０Ｄ未満としている。更に好ましくは、更に広いフィッティングポイント３から内外２５ｍｍの部分でも、非点収差及び相対平均度数の分布を０．５０Ｄ未満とする。
一方、非点収差及び相対平均度数の分布を更に小さくするのも、より好ましい。具体的に言うと、内外２０ｍｍの部分で非点収差及び相対平均度数の分布を０．５０Ｄ未満とする代わりに、０．２５Ｄ未満とするのが、より好ましい。こうすることにより、大型車両の運転手に与える疲労を極めて少なくすることが可能となる。
【０１００】
条件（２）についての変形例は、上記の通りである。ただ、上記の実施形態では、（条件２−１）を満たしたうえで、他の（条件２−２）〜（条件２−６）を満たすことが好ましいと述べた。その一方、（条件２−１）〜（条件２−６）は、いずれも、相対値または絶対値という違い、主注視線上の位置の違いはあれども、フィッティングポイント３の直下から所定の範囲の部分では加入度数を働かせないということを規定するための条件である。現在のところ、フィッティングポイント３の下方５ｍｍという数値には上述のような意義があることから、（条件２−１）を前提とした累進屈折力レンズを一例として挙げている。しかしながら、（条件２−１）を満たすのではなく、（条件２−２）〜（条件２−６）のいずれかまたはそれらの組み合わせの条件を満たすことによっても、本発明の効果を奏する。特に、（条件２−６）以外の各条件ならば、特許文献５に記載の累進屈折力レンズとは全く異なるものとなる。
【０１０１】
上記の実施形態では、上記の（１）及び（２−１）の条件で示すとおり、フィッティングポイント３から見て内側から外側の部分、及び、フィッティングポイント３の下方部分における光学特性値を条件づけている。上述の通り、フィッティングポイント３を通過する水平線及びその上方の全体において、非点収差及び相対平均度数の分布を著しく小さくないしゼロにするのが好ましい。また、フィッティングポイント３から見て内側から外側の部分とフィッティングポイント３の下方部分との間の部分においても、加入度数が低く抑えられていることが好ましい。ただ、先にも述べたように、左右のドアミラーに視線を移したとしても、累進屈折力レンズ上において視線が移動するのはほぼ水平線上である。また、前方に存在する先行車両の後部を運転手が遠方視にて視認する際には、累進屈折力レンズ上におけるフィッティングポイント３のほぼ直下５ｍｍの部分にて視線が通過する。そのため、上記の（１）及び（２−１）の条件を満たしておけば、累進屈折力レンズにおける他の部分における加入度数の条件は問わない。
【０１０２】
本発明が適用される累進屈折力レンズは、プラスレンズであっても構わないし、マイナスレンズであっても構わない。プラスレンズかマイナスレンズかによって、運転手の視線が累進屈折力レンズに当たる位置が変動するが、いずれにせよ、上記の（１）及び（２−１）の条件を満たせば上記の効果を奏する。ただ、マイナスレンズの場合だと、運転手にとって眼球の回旋量が比較的少なくて済む。そうなると、遠方視の際に、上記の（１）及び（２−１）の条件の範囲内で眼球の回旋をほぼ確実に行うことになる。
【０１０３】
本実施形態においては、フィッティングポイント３から近用アイポイント４までの領域を累進帯と呼んだ。その一方、フィッティングポイント３から近用度数測定基準点５までの領域を累進帯と呼んでも構わない。いずれにせよ、重要なのはフィッティングポイント３であり、上記の（１）及び（２−１）の条件を満たせば本発明の効果を奏する。
【０１０４】
また、５ｍｍ下方のように距離で条件を設定する以外にも、視角度で条件を設定しても構わない。例えば、条件（１）の場合だと「フィッティングポイントを通過する水平線上の部分であって視角度±４０°の範囲にて、非点収差及び相対平均度数の分布を０．５０Ｄ未満とする」という定義づけを行っても構わない。なお、上記の定義においては、水平線に垂直な線において上方に向かう方向を０°の基準方向としている。同様に、条件（２）の場合だと「フィッティングポイントから少なくとも眼球の下方への回旋角度１０°までの部分では加入度数の割合を、累進屈折力レンズにて設定された加入度数の１０％以下とする」という定義づけを行っても構わない。
【０１０５】
上記の実施形態では大型車両の運転に用いる場合における累進屈折力レンズについて述べたが、大型車両以外であっても、「操縦の際には俯瞰して遠方視を行うことになる移動手段の操縦」という用途に供されるものならば、上記の効果を奏する。この移動手段の例としては、列車、船舶、航空機、大型二輪車、農耕用の特殊車両、その他、俯瞰して遠方視を行う大型・小型特殊車両等が挙げられる。このように、本発明は種々の移動手段に適用可能である。同様に、運転手の眼の高さが地上から２．０ｍ未満の車両であっても、俯瞰して遠方視を行う移動手段を操縦するものならば、本発明の効果を享受することが可能となる。ただ、上述の通り、大型車両を運転する際に用いる方が、特に本発明の効果が発揮される。
【０１０６】
なお、本明細書における「中型ないし大型車両」は、日本の道路交通法における自動車の区分における中型自動車以上の規模の車両のことを言う。最大積載量だと３ｔ以上の車を指す。好ましくは特定中型自動車以上、更に好ましくは大型車両の運転に際し、本実施形態の累進屈折力レンズは好適に適用可能である。
また、本実施形態においては大型車両（運転手の眼の高さが地上から２．４ｍ以上）を想定して「５ｍｍ下方」という条件設定を行った。その一方、もちろん、大型車両の場合よりも俯瞰の度合いが小さくなる中型車両（運転手の眼の高さが地上から２．０ｍ以上）を想定した場合であっても、上記の（１）及び（２−１）の条件を満たせば、本発明の効果を享受することが可能となる。
【０１０７】
更に言うと、上記の移動手段の操縦以外の用途としても、上記の累進屈折力レンズは有用である。繰り返しになるが、大型車両の運転について検討した結果得られた知見は、あくまできっかけに過ぎず、日常の作業において本発明の課題は生じ得る。つまり、上記の累進屈折力レンズは、大型車両の運転用さらには移動手段の操縦用に限定されるものではない。上記の用途を含む日常の作業において生じ得る上記の課題を解消するための手段の基となる技術的思想こそが、本発明である。
【符号の説明】
【０１０８】
１    眼鏡レンズ
２    遠用度数測定基準点
３    フィッティングポイント
４    近用アイポイント
５    近用度数測定基準点
【図１】
2015087439.tif 000004
【図２】
2015087439.tif 000005
【図３】
2015087439.tif 000006
【図４】
2015087439.tif 000007
【図５】
2015087439.tif 000008
【図６】
2015087439.tif 000009
【図７】
2015087439.tif 000010
【図８】
2015087439.tif 000011
【図９】
2015087439.tif 000012
【図１０】
2015087439.tif 000013
【図１１】
2015087439.tif 000014